(57)【要約】      （修正有）【課題】単一の卵ホルダー部をもって、鶏卵又は鶉卵などのサイズの異なる卵のいずれの調理にも適宜対応することができ、利便性に富み、経済性にも優れる電気調理器を提供する。【解決手段】電熱源を備える容器本体１と、容器本体１の上方開口部に両面を選択的に収装可能となる卵ホルダー部Ｈと、卵ホルダー部Ｈに対して連接可能な容器中間体２と、容器中間体２の上部開口部を被覆する蓋体３とからなる電気調理器具において、卵ホルダー部Ｈは、両面兼用のプレート状を呈し、一方の面に鶏卵用収容受け部が形成され、他方の面に鶉卵用収容受け部が形成される。【選択図】図１
0003229879.tif 000002
【実用新案登録請求の範囲】
【請求項１】
電熱源を備える容器本体と、当該容器本体の上方開口部に両面を選択的に収装可能となる卵ホルダー部と、当該卵ホルダー部に対して連接可能な容器中間体と、当該容器中間体の上部開口部を被覆する蓋体とからなる電気調理器具において、当該卵ホルダー部は、両面兼用のプレート状を呈し、一方の面に鶏卵用収容受け部が形成され、他方の面に鶉卵用収容受け部が形成されることを特徴とする電気調理器具。
【請求項２】
前記卵ホルダーに持ち手部が突設されることを特徴とする請求項１に記載される電気調理器具。
【請求項３】
前記蓋体が開口部を備えるカップ状に形成されることを特徴とする請求項１又は請求項２のいずれかに記載される電気調理器具。
【請求項４】
前記蓋体に針状突起物を備えることを特徴とする請求項１乃至請求項３のいずれかに記載される電気調理器具。
【考案の詳細な説明】
【技術分野】
【０００１】
本考案は、鶏卵や鶉卵を茹でることができる茹で卵用の電気調理器具に関するものである。
【背景技術】
【０００２】
従来、茹で卵用の電気調理器具は基本的に鶏卵用のものであり、鶏卵と大きさが著しく異なる鶉卵の調理に対応されていなかった。
【先行技術文献】
【特許文献】
【０００３】
【特許文献１】特開２０１７−２９３６１号公報
【考案の概要】
【考案が解決しようとする課題】
【０００４】
本発明は鶏卵のみならず鶉卵を調理することにも対応した新規の茹で卵用の電気調理器具の提供を図ったものである。
【課題を解決するための手段】
【０００５】
本考案は請求項１に記載のように、  電熱源を備える容器本体と、当該容器本体の上方開口部に両面を選択的に収装可能となる卵ホルダー部と、当該卵ホルダー部に対して連接可能な容器中間体と、当該容器中間体の上部開口部を被覆する蓋体とからなる電気調理器具において、当該卵ホルダー部は、両面兼用のプレート状を呈し、一方の面に鶏卵用収容受け部が形成され、他方の面に鶉卵用収容受け部が形成されることを特徴とする電気調理器具に係るものである。
【０００６】
本考案は請求項２に記載のように、前記卵ホルダーに持ち手部が突設されることを特徴とする請求項１に記載される電気調理器具に係るものである。
【０００７】
本考案は請求項３に記載のように、前記蓋体が開口部を備えるカップ状に形成されることを特徴とする請求項１又は請求項２のいずれかに記載される電気調理器具に係るものである。
【０００８】
本考案は請求項４に記載のように、前記蓋体に針状突起物を備えることを特徴とする請求項１乃至請求項３のいずれかに記載される電気調理器具に係るものである。
【考案の効果】
【０００９】
本考案は請求項１に記載のような構成の採用に基づき、単一の卵ホルダー部をもって、鶏卵又は鶉卵などのサイズの異なる卵のいずれの調理にも適宜対応することができ、利便性に富み、経済性にも優れる電気調理器を提供することが可能となる。
【００１０】
本考案は請求項２に記載のような構成を採用したことにより、調理の前後における卵ホルダー部の取り扱いが極めて至便化される電気調理器を提供することが可能となる。
【００１１】
本考案は請求項３に記載のような構成を採用したことにより、蓋体を調理に使用する水の計量カップや調理対象の鶏卵のスタンドとしても利用でき、利便性に富む電気調理器を提供することが可能となる。
【００１２】
本考案は請求項４に記載のような構成を採用したことにより、針状突起物をもって調理前の卵に穴をあけることが容易にでき、調理後の茹であがった卵の殻を容易に剥くことが可能となる。
【図面の簡単な説明】
【００１３】
【図１】本考案に係る電気調理器具の全体を表す斜視図である。
【図２】本考案に係る電気調理器具における卵ホルダーの一方の面（鶏卵用収容受け部）を示す斜視図である。
【図３】本考案に係る電気調理器具における卵ホルダーの他方の面（鶉卵用収容受け部）を示す斜視図である。
【図４】本考案に係る電気調理器具の容器本体に卵ホルダーが収装された状態を示す斜視図である。
【図５】本考案に係る電気調理器具における容器本体に設けられる注水スペースを示す斜視図である。
【図６】本考案に係る電気調理器具における注水スペースを示す斜視図である。
【図７】本考案に係る電気調理器具における蓋体を示す斜視図である。
【考案を実施するための形態】
【００１４】
添付図において、１は容器本体、２は容器中間体、３は蓋体、Ｈは卵ホルダー部であって、卵の調理状態においては、容器本体１の上部開口部に被せ合致する態様で卵ホルダー部Ｈを収装し、卵ホルダー部Ｈに合致する態様で上下面に開口部を備える筒状体の容器中間体２が垂直方向に積層連接され、容器中間体２の上部開口部を被覆する蓋体３を取り付けることにより容器全体内部を密閉し、茹で卵を調理可能とするように構成されている（例えば、図１参照）。
【００１５】
図１に示した実施例においては、容器本体１と卵ホルダー部Ｈと容器中間体２がセットされた態様では、正面方向平面視において概ね長方形状を呈し、容器中間体２頂部は上方に従いテーパー状に形成され上部開口部が下部開口部に比し小さくなっており、かかる上部開口部を被覆する蓋体は平面視略台形状を呈する製品形態が示されているが、各部の具体的構成はかかる実施形態に限定されるものではない。    
【００１６】
容器本体１は、茹で卵調理に使用する水を加熱するためにＰＴＣヒーターN（図６参照）などの電熱源を備えており、例えば、外部には電源スイッチ部や電源のオンオフ状態を示す表示灯が設けられていることが想定される（図示せず）。
【００１７】
容器本体１には、図５に示すように、卵を茹でるために使用する水を注水する注水スペースＷが設けられている。
【００１８】
例えば、鶏卵の場合は、固ゆで：水１５ｍｌで約１２〜１４分、半熟：水１０ｍｌで約９〜１０分の調理時間が想定され、鶉卵の場合は、固ゆで：水１０ｍｌで約９〜１０分、半熟：水７ｍｌで約５〜６分の調理時間が想定されるが、水や卵の温度や、調理環境により調理時間は前後することになる。
【００１９】
注水スペースＷの水がすべて蒸気となった際に、注水スペースに連結するサーモスタットＳ（図６参照）が、注水スペースＷの温度が一定以上に上昇したことを検知し、電熱源の加熱を中止させると同時に信号音を発することにより、使用者に調理の終了を知らしめる機能を設けることが想定される。
【００２０】
したがって、使用者は、調理に際して、調理対象の好みの茹で具合となるように注水スペースＷに相応する量の水を注水することにより、好みの茹で卵を調理することが可能となる。
【００２１】
なお、調理終了の信号音発出後、電熱源の加熱が中止した状態において電源スイッチ部を操作し電源供給を遮断することにより信号音が停止する。また、調理途中であっても、電源供給を遮断することにより電熱源の加熱を中止することは可能である。
【００２２】
卵ホルダー部Ｈは、全体がプレート状の形態を呈しており、一方の面に鶏卵用収容受け部ＨＫが形成され、他方の面に鶉卵用収容受け部ＨＵが形成されている。（図２は、鶏卵用収容受け部を上面にした状態を示し、図３は、鶉卵用収容受け部を上面にした状態を示す図である。）
【００２３】
なお、卵ホルダー部Ｈは、いずれの面を上面としても容器本体１に合致収装されることが可能となり、また、同様に容器中間体２とも相互に合致して連接することが可能となる。
【００２４】
したがって、本考案に係る電気調理器具おいては、調理対象が鶏卵の場合は、卵ホルダー部Ｈの鶏卵用収容受け部ＨＫが形成された面を上面として収装し、鶉卵の場合は、卵ホルダー部Ｈの鶉卵用収容受け部ＨＵ形成された面を上面として収装することにより、単一の卵ホルダー部Ｈをもって、各種の茹で卵調理に対応することが可能となるものである（図４は、鶏卵用収容受け部ＨＫを上面として収装された状態を示す図である。）。
【００２５】
なお、鶏卵用の収容受け部ＨＫの具体的構成は、図２に示した実施例のように、例えば、鶏卵の下半部を収容可能となる程度の径を有する円筒状受け部が突設された形態を基本的形態とし、例えば、鶏卵の安定的保持に資するように複数の支柱状保持部ＨＫ１を形成することなどが想定される。
【００２６】
一方、鶉卵用の収容受け部ＨＵの具体的構成は、図３に示した実施例のように、例えば、鶉卵下半部を収容可能となる程度の径を有する円筒状受け部を四隅に複数配置突設された形態などが想定される。
【００２７】
なお、上記した実施例においては、卵の受け部としての凹部を円筒状受け部を突設させることにより形成しているが、卵を安定的に保持可能な形態かつ熱伝導の効率を妨げない限り広く設計されるものであり、具体的構成は限定されるものではない。
【００２８】
卵ホルダー部Ｈには、持ち手部Ｈ１が突設されており、例えば、卵ホルダー部Ｈの外周縁から水平方向に突設される平板状持ち手部Ｈ１が形成される。
【００２９】
かかる持ち手部Ｈ１を設けることにより、卵ホルダー部Ｈを安定的に持ち運ぶことが可能となり、調理前の収装作業や、調理後の取り出しなどにおいて利便に資するものである。なお、水平方向に突設された持ち手部Ｈ１は、調理状態での容器外に配置されているため、例えば、熱伝導の低い素材を採用することにより、茹で上がりの直後であっても安全に持ち運ぶことが可能となる。
【００３０】
容器中間体２は、卵ホルダー部Ｈの外縁部に合致して連接され、垂直方向に積層する態様で合体している。
【００３１】
容器中間体２は、卵ホルダー部Ｈとの連接箇所である下部、および上部共に開口部を設ける筒状体であり、図に示した実施例においては、上部の開口部は下部の開口部に比し小さく形成されており、頂部は上方に従い開口部を小さくするテーパー状に形成される。
【００３２】
蓋体３は、容器中間体２の上部開口部を被覆することにより調理状態において容器内を密閉する。
【００３３】
蓋体３は、開口部を備えるカップ状に形成され、例えば、図７に示した実施例のように、蓋体開口部が容器中間体２の上部開口部に合致する、正面平面視において台形状に形成されることが想定される。
【００３４】
蓋体３は、カップ状に形成されることにより、水の計量カップとしても利用することが可能となり、本考案に係る電気調理器具としての利便の向上に資することが可能となる。例えば、図に示した実施例においては、蓋体に水を入れた際に１０ｍｌ又は１５ｍｌになる目盛りラインＬ１Ｌ２を施している。
【００３５】
蓋体３は、カップ状に形成されることにより、鶏卵を置くスタンドとしても利用することができる。
【００３６】
また、図に示した実施例においては、蓋体裏側の中央部に針状突起物３ａが設けられており、かかる針状突起物３ａを用いて調理前の卵に穴をあけることにより、調理後茹であがった卵の殻を容易に剥くことが可能となる。
【符号の説明】
【００３７】
１    容器本体
２    容器中間体
３    蓋体
３ａ  針状突起物
Ｈ    卵ホルダー部
ＨＫ  鶏卵用収容受け部
HK1  支柱状保持部
ＨＵ  鶉卵用収容受け部
Ｈ１  持ち手部
Ｗ    注水スペース
S    サーモスタット   
L1・L2  目盛りライン
【図１】
0003229879.tif 000003
【図２】
0003229879.tif 000004
【図３】
0003229879.tif 000005
【図４】
0003229879.tif 000006
【図５】
0003229879.tif 000007
【図６】
0003229879.tif 000008
【図７】
0003229879.tif 000009